(57)【要約】【課題】伝送遅延を最小にすることができる、ＯＦＤＭ方式を適用した送信装置、受信装置及びプログラムを提供する。【解決手段】リンク層フレーム長に対応付けてＦＦＴ（高速フーリエ変換）ポイント数を規定したテーブル情報を蓄積するテーブル情報蓄積部１１１と、設定されたリンク層フレーム長に対応するＦＦＴポイント数を検索するＦＦＴポイント数検索部１１２と、検索されたＦＦＴポイント数に応じて、ＩＦＦＴ機能のＦＦＴポイント数を適応的に制御するＦＦＴポイント数制御部１１３とを有する。テーブル情報は、リンク層フレーム長毎に、伝送遅延が最小となるＦＦＴポイント数を規定する。また、送信するパケットのリンク層フレーム長に対応するＦＦＴポイント数を、受信装置へ送信するＦＦＴポイント数送信部１１４を更に有する。【選択図】図２
2007221289.tif 000002
【特許請求の範囲】
【請求項１】
直交周波数分割多元接続方式を適用した送信装置において、
リンク層フレーム長に対応付けて高速フーリエ変換ポイント数を規定した第１のテーブル情報を蓄積する第１のテーブル情報蓄積手段と、
前記第１のテーブル情報蓄積手段を用いて、設定されたリンク層フレーム長に対応する高速フーリエ変換ポイント数を検索する高速フーリエ変換ポイント数検索手段と、
検索された高速フーリエ変換ポイント数に応じて、高速フーリエ変換機能の高速フーリエ変換ポイント数を適応的に制御する高速フーリエ変換ポイント数制御手段と
を有することを特徴とする送信装置。
【請求項２】
前記第１のテーブル情報は、前記リンク層フレーム長毎に、伝送遅延が最小となる高速フーリエ変換ポイント数を規定することを特徴とする請求項１に記載の送信装置。
【請求項３】
送信するパケットのリンク層フレーム長に対応する高速フーリエ変換ポイント数情報を、受信装置へ送信する高速フーリエ変換ポイント数送信手段を更に有することを特徴とする請求項１又は２に記載の送信装置。
【請求項４】
移動速度及びマルチパス数に対応付けて、パケット誤り率が最小となるリンク層フレーム長を規定した第２のテーブル情報を蓄積する第２のテーブル情報蓄積手段と、
前記第２のテーブル情報蓄積手段を用いて、検出された前記移動速度及び前記マルチパス数に対応するリンク層フレーム長を検索するフレーム長検索手段と
を更に有し、
前記高速フーリエ変換ポイント数検索手段は、前記フレーム長検索手段によって検索された前記リンク層フレーム長に対応する高速フーリエ変換ポイント数を検索する
ことを特徴とする請求項１から３のいずれか１項に記載の送信装置。
【請求項５】
請求項３に記載の送信装置と通信する受信装置であって、
前記高速フーリエ変換ポイント数情報を受信する高速フーリエ変換ポイント数受信手段と、
受信した前記高速フーリエ変換ポイント数情報に応じて、高速フーリエ変換機能の高速フーリエ変換ポイント数を適応的に制御する高速フーリエ変換ポイント数制御手段と
を有することを特徴とする受信装置。
【請求項６】
直交周波数分割多元接続方式を適用した送信装置に搭載されたコンピュータを機能させるプログラムにおいて、
リンク層フレーム長に対応付けて高速フーリエ変換ポイント数を規定した第１のテーブル情報を蓄積する第１のテーブル情報蓄積手段と、
第１のテーブル情報蓄積手段を用いて、設定された前記リンク層フレーム長に対応する高速フーリエ変換ポイント数を検索する高速フーリエ変換ポイント数検索手段と、
検索された高速フーリエ変換ポイント数に応じて、高速フーリエ変換機能の高速フーリエ変換ポイント数を適応的に制御する高速フーリエ変換ポイント数制御手段と
してコンピュータを機能させることを特徴とする送信装置用のプログラム。
【請求項７】
第１のテーブル情報は、前記リンク層フレーム長毎に、伝送遅延が最小となる高速フーリエ変換ポイント数を規定するようにコンピュータを機能させることを特徴とする請求項６に記載の送信装置用のプログラム。
【請求項８】
送信するパケットのリンク層フレーム長に対応する高速フーリエ変換ポイント数情報を、受信装置へ送信する高速フーリエ変換ポイント数送信手段として更にコンピュータを機能させることを特徴とする請求項６又は７に記載の送信装置用のプログラム。
【請求項９】
移動速度及びマルチパス数に対応付けて、パケット誤り率が最小となるリンク層フレーム長を規定した第２のテーブル情報を蓄積する第２のテーブル情報蓄積手段と、
前記第２のテーブル情報蓄積手段を用いて、検出された前記移動速度及び前記マルチパス数に対応するリンク層フレーム長を検索するフレーム長検索手段と
を更に有し、
前記高速フーリエ変換ポイント数検索手段は、前記フレーム長検索手段によって検索された前記リンク層フレーム長に対応する高速フーリエ変換ポイント数を検索する
ことを特徴とする請求項６から８のいずれか１項に記載の送信装置用のプログラム。
【請求項１０】
請求項８に記載の送信装置と通信する受信装置に搭載されたコンピュータを機能させるプログラムにおいて、
前記高速フーリエ変換ポイント数情報を受信する高速フーリエ変換ポイント数受信手段と、
受信した前記高速フーリエ変換ポイント数情報に応じて、高速フーリエ変換機能の高速フーリエ変換ポイント数を適応的に制御する高速フーリエ変換ポイント数制御手段と
してコンピュータを機能させることを特徴とする受信装置用のプログラム。
【発明の詳細な説明】
【技術分野】
【０００１】
本発明は、直交周波数分割多元接続（ＯＦＤＭ：Orthogonal Frequency Division Multiple Access）方式を適用した送信装置、受信装置及びプログラムに関する。
【背景技術】
【０００２】
セルラーシステムのような無線システムによれば、送信装置のリンク層処理部は、レイヤ３パケットをリンク層フレームに分割して（フラグメント化）、物理層処理部へ通知する。例えば、３ＧＰＰ２で標準化されているｃｄｍａ２０００システムによれば、レイヤ３パケットをRadio Link Protocol Frameに分割する。物理層処理部は、分割されたリンク層フレーム毎に符号化し、更にパイロット信号等を付与し、物理層フレームとして無線回線へ送信する。
【０００３】
受信装置の物理層処理部は、受信した物理層フレームを復号し、そのフレームをリンク層処理部へ通知する。リンク層処理部は、レイヤ３パケットを構成する全てのリンク層フレームが到着するまで、受信したリンク層フレームをバッファする。リンク層処理部は、全てのリンク層フレームを受信した際に、レイヤ３パケットを組み立てて（デフラグメント化）、上位層処理部へ通知する。
【０００４】
一般に、セルラーシステムは、移動可能な端末を対象としている。ドップラー周波数が大きく且つフェージングによる変動が厳しい電波伝搬環境を想定している。従って、リンク層フレーム長を短くすることによって、パケット損失の発生と、無駄な再送データ量とを低減し、フェージングに対する耐性を強化していた。
【０００５】
従来、受信レベルに応じて、調整データに基づいてパケット長を調整することにより、常に、通信環境に対応した最適のパケット長を決定する技術がある（例えば特許文献１参照）。これにより、パケット誤り率（ＰＥＲ：Packet Error Rate）を低減することができる。また、受信環境に応じて、フレーム長を変更することなく、ガードインターバル長を変化させる技術もある（例えば特許文献２参照）。
【０００６】
【特許文献１】特開平１１−３３１１７５号公報
【特許文献２】特開２００５−１５０８５０号公報
【発明の開示】
【発明が解決しようとする課題】
【０００７】
従来の無線システムによれば、リンク層フレーム長は一般に固定長である。しかしながら、通信環境に応じて、リンク層フレーム長によってはＰＥＲが増加する場合がある。この場合、自動再送要求（ＡＲＱ：Automatic Repeat reQuest）が発生し、レイヤ３パケットの伝送遅延も大きくなる。
【０００８】
そこで、本発明は、伝送遅延を最小にすることができる、ＯＦＤＭ方式を適用した送信装置、受信装置及びプログラムを提供することを目的とする。
【課題を解決するための手段】
【０００９】
本発明によれば、直交周波数分割多元接続方式を適用した送信装置において、
リンク層フレーム長に対応付けて高速フーリエ変換ポイント数を規定した第１のテーブル情報を蓄積する第１のテーブル情報蓄積手段と、
第１のテーブル情報蓄積手段を用いて、設定されたリンク層フレーム長に対応する高速フーリエ変換ポイント数を検索する高速フーリエ変換ポイント数検索手段と、
検索された高速フーリエ変換ポイント数に応じて、高速フーリエ変換機能の高速フーリエ変換ポイント数を適応的に制御する高速フーリエ変換ポイント数制御手段と
を有することを特徴とする。
【００１０】
本発明の送信装置における他の実施形態によれば、第１のテーブル情報は、リンク層フレーム長毎に、伝送遅延が最小となる高速フーリエ変換ポイント数を規定することも好ましい。
【００１１】
また、本発明の送信装置における他の実施形態によれば、送信するパケットのリンク層フレーム長に対応する高速フーリエ変換ポイント数情報を、受信装置へ送信する高速フーリエ変換ポイント数送信手段を更に有することも好ましい。
【００１２】
更に、本発明の送信装置における他の実施形態によれば、
移動速度及びマルチパス数に対応付けて、パケット誤り率が最小となるリンク層フレーム長を規定した第２のテーブル情報を蓄積する第２のテーブル情報蓄積手段と、
第２のテーブル情報蓄積手段を用いて、検出された移動速度及びマルチパス数に対応するリンク層フレーム長を検索するフレーム長検索手段と
を更に有し、
高速フーリエ変換ポイント数検索手段は、フレーム長検索手段によって検索されたリンク層フレーム長に対応する高速フーリエ変換ポイント数を検索することも好ましい。
【００１３】
本発明によれば、前述した送信装置と通信する受信装置であって、
高速フーリエ変換ポイント数情報を受信する高速フーリエ変換ポイント数受信手段と、
受信した高速フーリエ変換ポイント数情報に応じて、高速フーリエ変換機能の高速フーリエ変換ポイント数を適応的に制御する高速フーリエ変換ポイント数制御手段と
を有することを特徴とする。
【００１４】
本発明によれば、直交周波数分割多元接続方式を適用した送信装置に搭載されたコンピュータを機能させるプログラムにおいて、
リンク層フレーム長に対応付けて高速フーリエ変換ポイント数を規定した第１のテーブル情報を蓄積する第１のテーブル情報蓄積手段と、
第１のテーブル情報蓄積手段を用いて、設定されたリンク層フレーム長に対応する高速フーリエ変換ポイント数を検索する高速フーリエ変換ポイント数検索手段と、
検索された高速フーリエ変換ポイント数に応じて、高速フーリエ変換機能の高速フーリエ変換ポイント数を適応的に制御する高速フーリエ変換ポイント数制御手段と
してコンピュータを機能させることを特徴とする。
【００１５】
本発明の送信装置用のプログラムにおける他の実施形態によれば、
第１のテーブル情報は、リンク層フレーム長毎に、伝送遅延が最小となる高速フーリエ変換ポイント数を規定するようにコンピュータを機能させることも好ましい。
【００１６】
また、本発明の送信装置用のプログラムにおける他の実施形態によれば、
送信するパケットのリンク層フレーム長に対応する高速フーリエ変換ポイント数情報を、受信装置へ送信する高速フーリエ変換ポイント数送信手段として更にコンピュータを機能させることも好ましい。
【００１７】
更に、本発明の送信装置用のプログラムにおける他の実施形態によれば、
移動速度及びマルチパス数に対応付けて、パケット誤り率が最小となるリンク層フレーム長を規定した第２のテーブル情報を蓄積する第２のテーブル情報蓄積手段と、
第２のテーブル情報蓄積手段を用いて、検出された移動速度及びマルチパス数に対応するリンク層フレーム長を検索するフレーム長検索手段と
を更に有し、
高速フーリエ変換ポイント数検索手段は、フレーム長検索手段によって検索されたリンク層フレーム長に対応する高速フーリエ変換ポイント数を検索することも好ましい。
【００１８】
本発明によれば、前述したプログラムを搭載した送信装置と通信する受信装置に搭載されたコンピュータを機能させるプログラムにおいて、
高速フーリエ変換ポイント数情報を受信する高速フーリエ変換ポイント数受信手段と、
受信した高速フーリエ変換ポイント数情報に応じて、高速フーリエ変換機能の高速フーリエ変換ポイント数を適応的に制御する高速フーリエ変換ポイント数制御手段と
してコンピュータを機能させることを特徴とする。
【発明の効果】
【００１９】
本発明におけるＯＦＤＭ方式を適用した送信装置、受信装置及びプログラムによれば、リンク層フレーム長に応じて最適なＦＦＴポイント数を選択することにより、伝送遅延を最小にすることができる。
【発明を実施するための最良の形態】
【００２０】
以下では、図面を用いて、本発明を実施するための最良の形態について詳細に説明する。
【００２１】
ＯＦＤＭを適用した無線通信システムの場合、選択すべきパラメータとして、高速フーリエ変換（ＦＦＴ：Fast Fourier Transform)ポイント数が存在する。ＦＦＴとは、時間領域のデータを周波数領域のデータに変換する技術をいう。ＦＦＴポイント数は、ＦＦＴの入出力信号の並列信号数をいう。一般に、ＦＦＴポイント数は、２のべき乗２ｎとなるように設計される。
【００２２】
従来技術として、例えば、８０２．１６−２００４のＯＦＤＭ方式によれば、「ＯＦＤＭ−２５６」、即ち固定ＦＦＴポイント数２５６（２８）を用いる規格となっている。また、８０２．１６−２００４のＯＦＤＭＡ方式によれば、固定ＦＦＴポイント数２０４８（２１１）を用いる規格となっている。更に、８０２．１６−２００４アメンドメントによれば、可変ＦＦＴポイント数１２８、５１２、１０２４、２０４８のいずれかを選択する規格となっている。
【００２３】
しかしながら、ＦＦＴポイント数によっては、通信環境に応じて、伝送遅延も異なる場合がある。以下では、伝送遅延を最小にするＦＦＴポイント数をどのようにして決定するか、について説明する。
【００２４】
図１は、リンク層フレーム長に対するＦＦＴポイント数と伝送遅延との対応関係を表すグラフである。
【００２５】
以下の表１は、図１のグラフを表す数値である。
【表１】
2007221289.tif 000003
【００２６】
図１は、以下のパラメータ諸元を用いたシミュレーション結果である。
レイヤ３パケットサイズ：１５００Byte
ベースクロック：１２０ＭＨｚ
ＦＦＴポイント数に対する使用サブキャリアの数の割合：０．７５
データ部の変調方式：６４ＱＡＭ
データ部の伝送における１シンボル当たりのビット数：６bit／symbol
コーディングレート：１／２
シンボルレート：２０ＭＨｚ
１ＦＦＴポイント当たりのＯＦＤＭシンボル長：０．０５μｓ
ガードインターバル：０．８μｓ
物理ヘッダサイズ：２４bit
物理ヘッダ部の変調方式：ＢＰＳＫ
物理ヘッダ部の伝送における１シンボル当たりのビット数：１bit／symbol
【００２７】
図１によれば、リンク層フレーム長に応じて、伝送遅延を最小とするＦＦＴポイント数が異なることが理解できる。リンク層フレーム長５０Byteの場合、ＦＦＴポイント数３２のときに伝送遅延が最も小さいのに対し、リンク層フレーム長１５００Byteの場合、ＦＦＴポイント数２５６のときに伝送遅延が最も小さくなる。
【００２８】
ここで、図１のような状態が生じる理由について簡単に説明する。ＦＦＴポイント数の増加に比例して、ＯＦＤＭシンボル当たりのビット数も増加する。
ＯＦＤＭシンボル当たりのビット数∝ＦＦＴポイント数
【００２９】
ＯＦＤＭシンボル当たりのビット数が多いほど、一度に送信できるデータ量が増加する。１つのレイヤ１フレームを送信する場合、複数のＯＦＤＭシンボルを用いて送信する。ここで、レイヤ１フレームの最終データをＯＦＤＭシンボルへ格納すると、その最後のＯＦＤＭシンボルの中で余った空きのビットは、パディングによって埋めることとなる。レイヤ３のパケットの受信を完了するためには、パディングの部分の受信も完了する必要があるため、レイヤ１フレームの送信毎にパディングを送信するという無駄な動作は、伝送遅延につながる。
【００３０】
一方で、１つのレイヤ１フレームを送信する場合、前述したシミュレーション諸元に記載したように、レイヤ１フレームのヘッダには、別途、ＯＦＤＭシンボルを割り当てる必要がある。これは、一般に、ヘッダ部とデータ部で変調方式が異なるためである。この場合、レイヤ１フレームの数が多くなるほど、その数に応じたヘッダ用のＯＦＤＭシンボルが必要となり、オーバヘッドの増加につながる。このように、オーバヘッドが増加すると、レイヤ３パケットの送受信に必要な伝送量が増えるため、伝送遅延が増加する。
【００３１】
以上をまとめると、以下の表２のような関係が成り立つ。
【表２】
2007221289.tif 000004
【００３２】
前述したように、発明者らは、ＯＦＤＭシンボル当たりのビット数と比例関係にあるＦＦＴポイント数と、レイヤ２フレーム長（レイヤ１フレーム長）との関係に注目し、本発明を想到するに至った。
【００３３】
図２は、本発明における送信装置の機能構成図である。
【００３４】
送信装置１は、ＯＦＤＭ方式を適用する通信装置である。図２によれば、送信装置１は、上位層処理部１０１と、リンク層処理部１０２と、符号化部１０３と、インタリーブ部１０４と、直並列変換部１０５と、複数のサブキャリア変調部１０６と、逆高速フーリエ変換部１０７と、並直列変換部１０８と、デジタルアナログ変換部１０９と、無線送信部１１０と、テーブル情報蓄積部１１１と、ＦＦＴポイント数検索部１１２と、ＦＦＴポイント数制御部１１３と、ＦＦＴポイント数送信部１１４とを有する。これら機能部は、送信装置に搭載されたコンピュータを実行させるプログラムによっても実現できる。
【００３５】
上位層処理部１０１は、レイヤ３パケット、例えばＩＰパケットを処理することが可能であって、レイヤ３パケットをリンク層処理部１０２へ通知する。リンク層処理部１０２は、所定のリンク層フレーム長に基づいて、レイヤ３パケットを分割する。符号化部１０３は、リンク層フレーム毎に物理層フレームを構成し、符号化する。インタリーブ部１０４は、誤り訂正能力を高めるために、データの順序を撹拌する。
【００３６】
直並列変換部１０５は、インタリーブ部１０４からの入力データ系列を、サブキャリア数のデータ系列に分割する。ＦＦＴポイント数制御部１１３から通知されたＦＦＴポイント数に応じて、サブキャリア数が制御される。
【００３７】
サブキャリア変調部１０６は、サブキャリア毎に、Ｉ／Ｑ平面上への信号点のマッピングをする。サブキャリア変調部１０６は、各サブキャリアの中心周波数がそれぞれ、互いに直交しながら隣接間隔が最小となるように決定される。ＦＦＴポイント数制御部１１３から通知されたＦＦＴポイント数に応じて、サブキャリア数が制御される。
【００３８】
逆高速フーリエ変換部１０７は、各サブキャリアのベースバンド信号を、それぞれの中心周波数のキャリア周波数となるように変調し、それらを全て合成したＯＦＤＭの時間領域データを生成する。ＦＦＴポイント数制御部１１３から通知されたＦＦＴポイント数に応じて制御される。
【００３９】
並直列変換部１０８は、逆高速フーリエ変換部１０７からの複数の出力データ系列を、１つのデータ系列に復元する。ＦＦＴポイント数制御部１１３から通知されたＦＦＴポイント数に応じて、サブキャリア数が制御される。
【００４０】
デジタルアナログ変換部１０９は、並直列変換部１０８から出力された１つのデータ系列に対して、デジタル−アナログ変換をする。無線送信部１１０は、デジタルアナログ変換部１０９から出力されたアナログ信号を、アンテナから無線回線へ送信する。
【００４１】
テーブル情報蓄積部１１１は、リンク層フレーム長に対応付けてＦＦＴポイント数を規定したテーブル情報を蓄積する。テーブル情報は、リンク層フレーム長毎に、伝送遅延が最小となるＦＦＴポイント数を規定する。以下の表３は、図１に基づくテーブル情報を表す。
【表３】
2007221289.tif 000005
【００４２】
ＦＦＴポイント数検索部１１２は、テーブル情報蓄積部１１１を用いて、設定されたリンク層フレーム長に対応するＦＦＴポイント数を検索する。リンク層フレーム長は、リンク層処理部１０２から取得する。リンク層フレーム長が可変である場合、リンク層フレーム長が変更される毎に、ＦＦＴポイント数を新たに検索する。リンク層フレーム長が固定である場合、通信開始時にのみ、ＦＦＴポイント数を新たに検索する。検索されたＦＦＴポイント数は、ＦＦＴポイント数制御部１１３及びＦＦＴポイント数送信部１１４へ通知される。
【００４３】
ＦＦＴポイント数制御部１１３は、検索されたＦＦＴポイント数に応じて、高速フーリエ変換機能のＦＦＴポイント数を適応的に制御する。ＦＦＴポイント数制御部１１３は、直並列変換部１０５と、サブキャリア変調部１０６と、逆高速フーリエ変換部１０７と、並直列変換部１０８とに対して、ＦＦＴポイント数を通知する。
【００４４】
ＦＦＴポイント数送信部１１４は、送信するパケットのリンク層フレーム長に対応するＦＦＴポイント数情報を、受信装置へ送信する。上位層処理部１０１は、ＦＦＴポイント数検索部１１２から通知されたＦＦＴポイント数情報を含む所定の制御パケットを、受信装置へ送信する。これにより、受信装置は、送信装置によって変更されたＦＦＴポイント数に対応して、自らのＦＦＴポイント数を変更することができる。
【００４５】
図３は、本発明における受信装置の機能構成図である。
【００４６】
図３によれば、受信装置２は、上位層処理部２０１と、リンク層処理部２０２と、復号部２０３と、デインタリーブ部２０４と、並直列変換部２０５と、複数のサブキャリア復調部２０６と、高速フーリエ変換部２０７と、直並列変換部２０８と、アナログデジタル変換部２０９と、無線受信部２１０と、ＦＦＴポイント数制御部２１３と、ＦＦＴポイント数受信部２１４とを有する。これら機能部は、受信装置に搭載されたコンピュータを実行させるプログラムによっても実現できる。
【００４７】
無線受信部２１０は、アンテナによってアナログ信号を受信し、そのアナログ信号をアナログデジタル変換部２０９へ通知する。アナログデジタル変換部２０９は、アナログ信号をデジタル信号へ変換し、そのデジタル信号のデータ系列を直並列変換部２０８へ通知する。
【００４８】
直並列変換部２０８は、アナログデジタル変換部２０９からの入力データ系列を、サブキャリア数のデータ系列に分割する。ＦＦＴポイント数制御部２１３から通知されたＦＦＴポイント数に応じて、サブキャリア数が制御される。
【００４９】
高速フーリエ変換部２０７は、ＯＦＤＭの時間領域データを、各サブキャリアのキャリア周波数に復調し、ベースバンド信号を出力する。ＦＦＴポイント数制御部２１３から通知されたＦＦＴポイント数に応じて制御される。
【００５０】
サブキャリア復調部２０６は、サブキャリア毎に復調する。ＦＦＴポイント数制御部２１３から通知されたＦＦＴポイント数に応じて、サブキャリア数が制御される。
【００５１】
並直列変換部２０５は、複数のサブキャリアを、１つのデータ系列に復元する。ＦＦＴポイント数制御部２１３から通知されたＦＦＴポイント数に応じて、サブキャリア数が制御される。
【００５２】
デインタリーブ部２０４は、撹拌されたデータの順序を元に戻す。復号部２０３は、物理層フレーム毎に復号する。リンク層処理部２０２は、複数のリンク層フレームを合成し、元のレイヤ３パケットを復元する。復元されたレイヤ３パケットは、上位層処理部２０１へ通知される。上位層処理部２０１は、リンク層処理部２０２から通知されたレイヤ３パケットを処理する。
【００５３】
ＦＦＴポイント数受信部２１４は、上位層処理部２０１を用いて、送信装置１によって送信されたＦＦＴポイント数情報を取得する。ＦＦＴポイント数は、ＦＦＴポイント数制御部２１３へ通知される。
【００５４】
ＦＦＴポイント数制御部２１３は、受信したＦＦＴポイント数に応じて、高速フーリエ変換機能のＦＦＴポイント数を適応的に制御する。ＦＦＴポイント数制御部１１３は、直並列変換部１０５と、サブキャリア変調部１０６と、逆高速フーリエ変換部１０７と、並直列変換部１０８とに対して、ＦＦＴポイント数を通知する。
【００５５】
前述した本発明と組み合わせることによって、更なる効果を奏する実施形態について説明する。この技術は、同一出願人による特願２００６−０００３６８号「リンク層フレーム長を適応的に変更する通信装置、端末、基地局及びプログラム」に基づく。
【００５６】
図４は、端末の移動が低速（３．６ｋｍ／ｈ）であって、フェージングによる電波伝搬環境の変動が少ない（ドップラー周波数１６．６Ｈｚ）場合に、リンク層フレーム長に対するフレーム誤り率（ＦＥＲ：Frame Error Rate）及びＰＥＲの変化を表すグラフである。
【００５７】
図５は、端末の移動が高速（１０８ｋｍ／ｈ）であって、フェージングによる電波伝搬環境の変動が激しい（ドップラー周波数５００Ｈｚ）場合に、リンク層フレーム長に対するＦＥＲ及びＰＥＲの変化を表すグラフである。
【００５８】
図４及び図５は、ＩＰパケット長：１５００Byte、使用周波数帯：５ＧＨｚとする。その他のパラメータは、ＩＥＥＥ８０２．１１ａの標準規格に準拠する。
【００５９】
図４によれば、ＰＥＲが最小となるリンク層フレーム長は、ＩＰパケット長と同じ１５００Byteである。これは、リンク層フレーム長が増加することによって、（ＦＥＲの増加に伴う）ＰＥＲの増加よりも、リンク層フレーム数の減少によるＰＥＲの改善度が支配的になっていることを意味する。従って、リンク層フレーム長の増加によって、ＰＥＲが増加する。
【００６０】
一方、図５によれば、ＰＥＲが最小となるリンク層フレーム長は、２５０Byteである。これは、リンク層フレーム長が短い場合は、図１と同様の傾向となるが、リンク層フレーム長がある長さ（２５０Byte）を超えると、リンク層フレーム数の減少によるＰＥＲの改善度よりも、リンク層フレーム長の増加によるＰＥＲの増加が支配的になることを意味する。従って、リンク層フレーム長の増加によって、ＰＥＲが増加する。この場合、ＰＥＲを最小にするリンク層フレーム長が存在する。
【００６１】
図４及び図５によれば、リンク層処理部１０２が、ＩＰパケットをリンク層フレームに分割する際に、通信環境に応じて最適なリンク層フレーム長を選択することによって、ＰＥＲを最小とすることができる。
【００６２】
送信装置１が、移動速度及びマルチパス数に対応付けてリンク層フレーム長を規定した第２のテーブル情報を蓄積する第２のテーブル情報蓄積部と、検出された移動速度及びマルチパス数に対応するリンク層フレーム長を検索するフレーム長検索部とを更に有することも好ましい。ここで、第２のテーブル情報は、移動速度及びマルチパス数の組み合わせ毎に、パケット誤り率が最小となるリンク層フレーム長を規定する。
【００６３】
これにより、移動速度及びマルチパス数に応じてパケット誤り率を最小とするリンク層フレーム長を決定し、次に、そのリンク層フレーム長について伝送遅延を最小とするＦＦＴポイント数を決定することができる。パケット誤り率の低減と、伝送遅延の低減との２つの効果を奏する。
【００６４】
以上、詳細に説明したように、本発明におけるＯＦＤＭ方式を適用した送信装置等によれば、リンク層フレーム長に応じて最適なＦＦＴポイント数を選択することにより、伝送遅延を最小にすることができる。
【００６５】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６６】
【図１】リンク層フレーム長に対するＦＦＴポイント数と伝送遅延との対応関係を表すグラフである。
【図２】本発明における送信装置の機能構成図である。
【図３】本発明における受信装置の機能構成図である。
【図４】端末の移動が低速であって、フェージングによる電波伝搬環境の変動が少ない場合に、リンク層フレーム長に対するＦＥＲ及びＰＥＲの変化を表すグラフである。
【図５】端末の移動が高速であって、フェージングによる電波伝搬環境の変動が激しい場合に、リンク層フレーム長に対するＦＥＲ及びＰＥＲの変化を表すグラフである。
【符号の説明】
【００６７】
１  送信装置
１０１  上位層処理部
１０２  リンク層処理部
１０３  符号化部
１０４  インタリーブ部
１０５  直並列変換部
１０６  サブキャリア変調部
１０７  逆高速フーリエ変換部
１０８  並直列変換部
１０９  デジタルアナログ変換部
１１０  無線送信部
１１１  テーブル情報蓄積部
１１２  ＦＦＴポイント数検索部
１１３  ＦＦＴポイント数制御部
１１４  ＦＦＴポイント数送信部
２  受信装置
２０１  上位層処理部
２０２  リンク層処理部
２０３  復号部
２０４  デインタリーブ部
２０５  並直列変換部
２０６  サブキャリア復調部
２０７  高速フーリエ変換部
２０８  直並列変換部
２０９  アナログデジタル変換部
２１０  無線受信部
２１３  ＦＦＴポイント数制御部
２１４  ＦＦＴポイント数受信部
【図１】
2007221289.tif 000006
【図２】
2007221289.tif 000007
【図３】
2007221289.tif 000008
【図４】
2007221289.tif 000009
【図５】
2007221289.tif 000010